(57)【要約】【課題】編成動作時に生じる金属粉末による動作不良が生じ難くい揺動式アクチュエータを備えた横編機の選針装置を提供する。【解決手段】筒状のボビン１０と、このボビン１０に配置される励磁コイル１１と、一端がボビン１０から外側に突出され、他端がボビン１０内に軸支されるレバー３０と、レバー３０の一端側でレバーを挟んで対向配置される磁性部材（サイドヨーク２２、サイドヨーク２９）とを備える。レバー３０は、励磁コイル１１の励磁に伴う電磁力により両サイドヨーク２２，２９間で揺動され、このレバー３０の揺動により編針の選針を行う。また、レバー３０は、レバー３０と両サイドヨーク２２，２９との間に形成される隙間を隙間の外側から覆う覆い部４１を備える。【選択図】図４
2009155776.tif 000002
【特許請求の範囲】
【請求項１】
筒状のボビンと、このボビンに配置される励磁コイルと、一端がボビンから外側に突出され、他端がボビン内に軸支されるレバーと、レバーの一端側でレバーを挟んで対向配置される磁性部材とを備え、前記励磁コイルの励磁に伴う電磁力により前記レバーが両磁性部材間で揺動され、このレバーの揺動により編針の選針を行う横編機の選針装置であって、
前記レバーは、レバーと両磁性部材との間に形成される隙間を隙間の外側から覆う覆い部を備えることを特徴とする横編機の選針装置。
【請求項２】
前記覆い部は、前記レバーの揺動軌跡に実質的に沿った円弧状に形成されていることを特徴とする請求項１に記載の横編機の選針装置。
【発明の詳細な説明】
【技術分野】
【０００１】
本発明は、横編機の選針装置に関する。特に、本発明は、横編機の編成動作時に生じる金属粉末などが選針装置に備わる揺動式アクチュエータの内部に侵入することによる動作不良の可能性を低減することができる横編機の選針装置に関する。
【背景技術】
【０００２】
横編機は、針床と針床の長手方向に往復動作するキャリッジとを備え、編成時には、キャリッジに備わる編成カムにより針床に列設される複数の編針を針溝の長手方向に進退させることで編地を編成する。編針は、通常、フックを有する針本体と、この針本体を必要に応じて進退させるためのニードルジャック、セレクタおよびセレクトジャックとを有する。この編針による編成動作は、ニット、タック、ミスの３つを基本とし、編針にいずれの編成動作を行わせるかは、キャリッジに搭載される選針装置によりセレクタに備わる選針用バットを針溝内に沈み込ませるか否かにより決定される。
【０００３】
上述の横編機の選針装置として、従来から、揺動式アクチュエータが利用されている。代表的な揺動式アクチュエータとしては、例えば、特許文献１に記載のようなものが知られている。この揺動式アクチュエータは、同文献の図１〜３に示すように、励磁コイルの外側を強磁性体のヨークおよびサイドヨークで取り囲み、励磁コイルのボビン内部に揺動可能な強磁性体のレバーを設け、レバーの一端付近の両側でヨークおよびサイドヨークの一端同士を対向させると共に、ヨークおよびサイドヨークの他端間に永久磁石を挟持した構成を備える。揺動式アクチュエータのレバーは、励磁コイルへ通電していないときには、永久磁石の磁力によりサイドヨーク側に引き寄せられ、励磁コイルへ通電しているときには、励磁コイルが励磁されることでヨークの一端側に引き寄せられるようになっている。つまり、揺動式アクチュエータは、励磁コイルへの通電の有無によってレバーをヨークの一端側あるいはサイドヨーク側に揺動させる構成を備える。
【０００４】
上述した揺動式アクチュエータのレバーの先端には、セレクタに備わる選針用バットに直接作用するアクチュエータカムが係合されており、前記レバーが揺動することで、アクチュエータカムが揺動する。揺動されたアクチュエータカムが、セレクタの選針用バットの位置にあれば、アクチュエータカムが選針用バットを押圧して針溝内に沈み込ませる（非選針状態）。逆に、アクチュエータカムが、選針用バットの位置から退避していれば、選針用バットが針溝内に沈み込まされない（選針状態）。
【０００５】
【特許文献１】特開平６−２９１１８号公報
【発明の開示】
【発明が解決しようとする課題】
【０００６】
ところで、キャリッジ（編成カム）や編針、針床などの編成にかかわる部材は、そのほとんどが鉄系金属でできており、編成時にこれらの部材同士が接触することにより微細な金属粉末が生じることがある。この金属粉末が、レバーとヨークとの隙間やレバーとサイドヨークとの隙間から揺動式アクチュエータの内部に侵入すると、揺動式アクチュエータは、その磁気回路が乱されて動作が不安定になり、選針ミスが生じる虞がある。なお、横編機に備わる揺動式アクチュエータは、特許文献１に記載のように、レバーが下を向けて配置されているが、磁力の作用により上記隙間から金属粉末が揺動式アクチュエータの内部に侵入する虞がある。
【０００７】
本発明は、上記事情に鑑みてなされたものであり、その主目的は編成動作時に生じる金属粉末による動作不良が生じ難くい横編機の選針装置を提供することにある。
【課題を解決するための手段】
【０００８】
本発明は、筒状のボビンと、このボビンに配置される励磁コイルと、一端がボビンから外側に突出され、他端がボビン内に軸支されるレバーと、レバーの一端側でレバーを挟んで対向配置される磁性部材とを備え、前記励磁コイルの励磁に伴う電磁力により前記レバーが両磁性部材間で揺動され、このレバーの揺動により編針の選針を行う横編機の選針装置に係る。本発明の横編機の選針装置は、選針装置に備わるレバーに、レバーと両磁性部材との間に形成される隙間を隙間の外側から覆う覆い部を備えることを特徴とする。
【０００９】
上記レバーに備わる覆い部は、上記隙間を封止するように設けられている必要はなく、レバーの揺動の邪魔とならない大きさであって、選針装置を上面視したときに、レバーの揺動位置に関わらず前記隙間が見えないような大きさを有していれば良い。このような覆い部の好ましい形状としては、前記レバーの揺動軌跡に実質的に沿った円弧状とすることが挙げられる。
【発明の効果】
【００１０】
本発明の横編機の選針装置は、レバーと、レバーを挟んで対向する２つの磁性部材との隙間を覆う覆い部を有するので、この隙間を介して、選針装置の外部から、レバーを揺動させるための磁気回路を構成する部分に金属粉末などの異物が侵入することを防止することができる。その結果、上記磁気回路が乱されることによる選針装置の動作不良を抑制し、もって、選針ミスを効果的に防止できる。さらに、近年では、編成速度の高速化が望まれており、編成カムや編針、針床などの編成にかかわる部材同士の接触による金属粉末などの発生が多くなることが懸念されているが、仮に金属粉末の発生が多くなったとしても、覆い部により選針装置の動作不良を効果的に防止できる。
【００１１】
また、レバーに備わる覆い部の形状を、レバーの揺動軌跡に実質的に沿った円弧状に形成すると、レバーの軸方向からだけでなく、レバーの揺動方向側からの異物の侵入を効果的に防止することができる。
【発明を実施するための最良の形態】
【００１２】
本発明の実施形態を図に基づいて以下に説明する。まず、横編機における編針の選針について概略的に説明し、次いで、横編機の選針装置について詳細に説明する。
【００１３】
図１は、横編機の選針装置による編針の選針動作についての概略説明図である。また、図２（Ａ）は、選針装置の上面図、図２（Ｂ）は図２（Ａ）のＸ−Ｘ矢視図、図２（Ｃ）は選針装置に備わるアクチュエータカムの概略図である。なお、図１では、図２（Ａ）に示す選針装置を下面から見た状態が図示されている。
【００１４】
横編機は、ニット、タック、ミスの３つの編成動作を基本として、複数の部材（針本体、ニードルジャック、セレクタおよびセレクトジャック）が組み合わされて構成される編針により編地を編成する。編針は、針床の針溝に列設され、針溝の長手方向に進退することでニットおよびタックのいずれかの編成動作を行う。また、編針が針溝の長手方向に進退しないことで、編成動作はミスとなる。図１では、編針を構成する部材のうち、セレクタ５１〜５８のみを示しており、このセレクタ５１〜５８に備わる選針用バット６１〜６８を針溝に沈み込ませるか否かによって、上記いずれの編成動作を行うかが決定される（編成動作の詳細については、例えば、特開平１−１０４８６３号などを参照）。
【００１５】
一方、セレクタ５１〜５８の選針用バット６１〜６８を沈み込ませるか否かは、キャリッジ２００に搭載される選針装置１００により行われる。この選針装置１００は、複数のアクチュエータカム７１〜７８を有し、各アクチュエータカム７１〜７８は、隣接するセレクタ間でセレクタ５１〜５８の長手方向にズレて形成される各選針用バット６１〜６８に対応している。つまり、図１に示す状態でキャリッジ２００が針床上を移動すると、各アクチュエータカム７１〜７８が、対応する選針用バット６１〜６８を押圧して、選針用バット６１〜６８を針溝内に沈み込ませる。また、図１に示す状態からいずれかのアクチュエータカム（例えば、アクチュエータカム７５）が揺動すると、キャリッジ２００が針床上を移動しても、揺動したアクチュエータカム７５は選針用バット６５に作用せず、選針用バット６５が沈み込まされることはない（図２（Ｂ）を合わせて参照）。
【００１６】
上述の選針装置１００をより詳細に説明すると、選針装置１００は、図２に示すように、枠体２と、この枠体２に取り付けられる８つの揺動式アクチュエータ１と、各揺動式アクチュエータ１のレバー３０に係合され、セレクタ５の長手方向に揺動する複数のアクチュエータカム７と、揺動式アクチュエータ１を固定する固定板３（図２（Ａ）では省略）とを備える。アクチュエータカム７は、図２（Ｃ）に示すような形状であって、選針用バット６に作用する作用部７０１と、アクチュエータカム７を軸支するための軸孔７０３と、揺動式アクチュエータ１のレバー３０が係合する係合部７０２とを備える。このアクチュエータカム７は、軸孔７０３に挿通される支持軸８により枠体２に取り付けられ、支持軸８を中心にして揺動自在に構成される。また、アクチュエータカム７の係合部７０２は、係合するレバー３０を有する揺動式アクチュエータ１の位置によって、左右いずれかの軸孔７０３側にズレて形成されている。このような構成により、揺動式アクチュエータ１のレバー３０が揺動すれば、レバー３０に係合するアクチュエータカム７が支持軸８を揺動支点にして揺動する。なお、枠体２に設けられる揺動式アクチュエータ１の数は、８つに限定されるわけではなく、その配置も図の状態に限定されるわけではない。但し、図示の配置状態によれば、小さな設置空間に多くの揺動式アクチュエータ１を配置でき、選針装置１００をコンパクトにすることができる。
【００１７】
以下、横編機の選針装置に備わる揺動式アクチュエータの詳細について図３、４に基づいて説明する。
【００１８】
図３は、揺動式アクチュエータの斜視図、図４は揺動式アクチュエータの概略図であって、（Ａ）は上面から見た部分透視図、（Ｂ）は（Ａ）のＹ−Ｙ断面矢視図、（Ｃ）は（Ｂ）のＺ−Ｚ断面矢視図である。
【００１９】
＜揺動式アクチュエータの全体構成＞
揺動式アクチュエータ１は、筒状のボビン１０と、ボビン１０に配置される励磁コイル１１と、一端がボビン１０から突出され、他端がボビン内に軸支されるレバー３０とを備える。さらに、揺動式アクチュエータ１は、コイル１１の外側を囲むヨーク２０と、ヨーク２０の一端部２０Ａで、永久磁石２１を挟んで配置されるサイドヨーク（磁性部材）２２と、ヨークの他端部２０Ｂで、スペーサ２８を挟んで配置されるサイドヨーク（磁性部材）２９とを備える。
【００２０】
＜揺動式アクチュエータの各構成部材＞
ボビン１０は、基底部１０Ｂと励磁コイル形成部１０Ｃと、フランジ部１０Ｆとを備える。ボビン１０の励磁コイル形成部１０Ｃには、励磁コイル形成部１０Ｃに被覆導線を巻き付けてなる励磁コイル１１が形成されている。
【００２１】
ボビン１０の基底部１０Ｂには、上述したようにレバー３０の他端が揺動軸１Ｓを介して軸支され、レバー３０がこの揺動軸１Ｓを中心にして揺動自在に構成されている。
【００２２】
励磁コイル１１の外周には、強磁性体からなる概略Ｕ字状のヨーク２０が配置されている。このヨーク２０のＵ字のコーナー部分には、上述した基底部１０Ｂが固定されており、ヨーク２０の一端部２０Ａと他端部２０Ｂとの間に、レバー３０の一端側が配置されるようになっている。また、ボビン１０のフランジ部１０Ｆには、ヨーク２０の一端部２０Ａに当接する矩形板状の永久磁石２１と、この永久磁石２１に当接する強磁性体からなる概略Ｌ字状のサイドヨーク２２とが配置されている。また、フランジ部１０Ｆには、ヨーク２０の他端部２０Ｂに当接する矩形板状の非磁性体からなるスペーサ２８と、このスペーサ２８に当接する強磁性体からなる概略Ｌ字状のサイドヨーク２９とが配置されている。さらに、上述したヨーク２０の一端部２０Ａと他端部２０Ｂ、永久磁石２１、サイドヨーク２２，２９およびスペーサ２８の外周を覆うように非磁性体材料（例えば、ポリブチレンテレフタレート樹脂製）のホルダキャップ１０Ｈがフランジ部１０Ｆに係合している。これらサイドヨーク２２とサイドヨーク２９とホルダキャップ１０Ｈとで形成される開口部１Ｍから、ボビン１０内部に収納されるレバー３０の一端が突出している。
【００２３】
レバー３０は、強磁性体からなるレバー本体３１と、レバー本体３１の先端部（開口部１Ｍ近傍の十字架状の部分）に設けられる非磁性体からなるレバーキャップ４０とを有する。このレバー３０は、励磁コイル１１に通電していないときは、永久磁石２１の作用によりサイドヨーク２２に当接している。そして、励磁コイル１１に通電しているときは、励磁コイル１１の励磁によりサイドヨーク２９に引き寄せられ、当接する（図４（Ｂ）の二点鎖線を参照）。即ち、レバー３０は、サイドヨーク２２とサイドヨーク２９との間で、励磁コイル１１への通電の有無により揺動する。なお、レバーキャップ４０は、例えば、レバー本体３１を金型に配置して非磁性体材料（例えば、ポリアミド樹脂）を流し込むインサート成形により形成しても良いし、レバー本体３１とは別に作製したレバーキャップ４０を、レバー本体３１に取り付けるようにしても良い。
【００２４】
レバー３０に備わるレバーキャップ４０には、レバー３０がサイドヨーク２２側、サイドヨーク２９側のいずれに揺動したとしても、開口部１Ｍとレバー３０（レバー本体３１）との隙間を実質的に覆う覆い部４１を有する。覆い部４１は、揺動式アクチュエータ１を正面から見たときに、揺動軸１Ｓを中心にした円弧状に（図４（Ｂ）参照）、揺動式アクチュエータ１を上面から見たときに矩形状に形成されている（図４（Ａ）参照）。この覆い部４１により、横編機の編成動作時に、編成カムや編針、針床、選針装置などの編成にかかわる金属部材同士の接触、例えば、図２（Ｂ）に示すアクチュエータカム７の作用部７０１と選針用バット６との接触などにより金属粉末が発生したとしても、発生した金属粉末が開口部１Ｍを介して揺動式アクチュエータ１の内部に侵入することを防止することができる。その結果、内部への異物混入による揺動式アクチュエータ１の動作不良が抑制され、選針装置の選針ミスも抑制される。特に、覆い部４１が、揺動軸１Ｓを中心にした円弧状に形成されていると、覆い部４１とサイドヨーク２２，２９との間に隙間ができ難い（特に、図２（Ｂ）を参照）。さらに、サイドヨーク２２，２９の上面を覆い部４１の下面の形状に沿った円弧状に形成すると、覆い部４１とサイドヨーク２２，２９との間にさらに隙間ができ難いので、好ましい。
【００２５】
また、上記レバーキャップ４０は非金属材料であるので、レバー３０とアクチュエータカム７の係合部７０２との接触により金属粉末が発生することがほとんどなく、しかも、レバーキャップ４０が磁化されないので、編成にかかわる金属部材で生じた金属粉末がレバー３０に付き難くい。これらの点からも、揺動式アクチュエータ１の内部に異物混入による不具合を抑制することができる。
【００２６】
なお、本発明の実施形態は、上述の実施形態に限定されるわけではなく、本発明の要旨を逸脱しない範囲において適宜変更することができる。例えば、サイドヨーク２２，２９の形状を変更したとしても、覆い部４１が開口部１Ｍを覆ってさえいれば良い。
【産業上の利用可能性】
【００２７】
本発明の横編機の選針装置は、編成ミスの可能性が低い横編機の構成部材として好適に利用可能である。
【図面の簡単な説明】
【００２８】
【図１】横編機の選針装置による選針動作を示す概略説明図である。
【図２】（Ａ）は選針装置の上面図、（Ｂ）は（Ａ）のＸ−Ｘ矢視図、（Ｃ）はアクチュエータカムの正面図である。
【図３】揺動式アクチュエータの斜視図である。
【図４】（Ａ）は揺動式アクチュエータを上面からみた部分透視図、（Ｂ）は（Ａ）のＹ−Ｙ断面矢視図、（Ｃ）は（Ｂ）のＺ−Ｚ断面矢視図である。
【符号の説明】
【００２９】
１００  選針装置  ２００  キャリッジ
１  揺動式アクチュエータ  １Ｍ  開口部  １Ｓ  揺動軸
２  枠体  ３  固定板
１０  ボビン  １０Ｂ  基底部  １０Ｃ  励磁コイル形成部  １０Ｆ  フランジ部
１０Ｈ  ホルダキャップ
１１  励磁コイル
２０  ヨーク  ２０Ａ  一端部  ２０Ｂ  他端部
２１  永久磁石  ２２  サイドヨーク
２８  スペーサ  ２９  サイドヨーク
３０  レバー  ３１  レバー本体
４０  レバーキャップ  ４１  覆い部
５，５１〜５８  セレクタ
６，６１〜６８  選針用バット
７，７１〜７８  アクチュエータカム
７０１  作用部  ７０２  係合部  ７０３  軸孔
８  支持軸
【図１】
2009155776.tif 000003
【図２】
2009155776.tif 000004
【図３】
2009155776.tif 000005
【図４】
2009155776.tif 000006